(57)【特許請求の範囲】
【請求項１】
ヒーターと、前記ヒーターを内包し風路を形成するダクトと、前記ダクトに室内空気を送風する送風機を備え、前記送風機の上流側は本体外郭の背面を形成するリアケースの一部に設けた開口部に連通し、前記リアケースの前記開口部にフィルターを備えたフィルターカバーを設けるとともに、前記ダクトの下流側は前記本体外郭の正面を形成するフロントケースに設けた吹出口に連通させ、前記本体外郭の一部に設けた操作部と前記ヒーターと前記送風機を運転制御する制御基板を備え、前記フロントケースと前記リアケースの間にセンターケースを配設するとともに、前記センターケースは、室内床面に本体を安定載置するための脚部と一体構造とし、前記送風機のファンケース部の形状を備え、かつ、前記送風機、前記ダクト、前記制御基板の取り付け構造を備えたことを特長とする温風暖房機。
【請求項２】
前記制御基板を係止する制御基板ケースを前記センターケースとは別部品として配置し、前記制御基板ケースの材質を難燃グレード樹脂としたことを特長とする請求項１に記載の温風暖房機。
【請求項３】
前記制御基板を係止する制御基板ケースを前記センターケースとは別部品として配置し、前記制御基板ケースの材質を板金としたことを特長とする請求項１に記載の温風暖房機。
【発明の詳細な説明】
【技術分野】
【０００１】
本発明は電気ヒーターを使用して暖房を行う温風暖房機に関するものである。
【背景技術】
【０００２】
従来のこの種の温風暖房機は、例えば電気ヒーターに送風機から送風して熱交換させ温風を生み出し室内を暖房するもの（特許文献１参照）がある。
【０００３】
図４は、特許文献１に記載された従来の、温風暖房機を示すものである。図４に示すように、５１は通電により発熱するヒーターで、５２は送風機、５３は吸気口、５４は吹出口、５５は操作部、５６はリアケース、５７はフロントケースである。
この構成でヒーター５１と送風機５２に通電すると、送風機５２は所定の回転数で回転して吸気口５３から室内の空気を吸い込み、発熱したヒーター５１に送風する。この空気はヒーター５１を通過する際に熱交換して温風となり、吹出口５４から吹き出され、室内を暖房することが出来るものである。
【特許文献１】特開２００３−１０６５７８号公報
【発明の開示】
【発明が解決しようとする課題】
【０００４】
しかしながら前記これら従来の構成では、以下の課題を有している。
１．この種の温風暖房機は、デザイン性を高めるために外郭部品に樹脂を使用することが多く、リアケースに内部構造物の取付けボスやリブ、送風機のファンケース形状などを構成しなくてはならないため、本体背面に多くのヒケが生じ外観を損なう。
【０００５】
特に、この種の温風暖房機では異常時を想定しある程度の耐熱は必要なため外観材料に耐熱温度が比較的高く安価なＰＰを使用するケースが多く、ＰＰの特性からさらにヒケが生じやすい。
２．ヒケが生じやすいためにその対策のひとつとして外郭表面にシボ加工を入れて光沢を消し、ヒケが目立ちにくいようにすることが一般的に行われるが、樹脂材料は静電気でホコリを呼びやすく、付着したホコリがシボ加工の中に入ってとれにくくなる。
【０００６】
本発明は前記従来の課題を解決するもので、温風暖房機の構成にセンターケースを加えこれにファンケース部の形状を備えるとともに内部構造物の取り付け構造を持たせることで、外郭部品であるリアケースに設けるボスやリブを大幅に削減できるので、本体背面にヒケを生じることがなく、外観品位を向上できる。またヒケがわずかであるためシボの有無は自由に選択することができるためデザイン的な選択の自由度が広げることを実現した温風暖房機を提供することを目的としている。
【課題を解決するための手段】
【０００７】
前記従来の課題を解決するために、本発明の温風暖房機は、ヒーターと、ヒーターを内包し風路を形成するダクトと、このダクトに室内空気を送風する送風機を備え、前記送風機の上流側は本体外郭の背面を形成するリアケースの一部に設けた開口部に連通し、前記リアケースの開口部にフィルターを備えたフィルターカバーを設けるとともに、前記ダクトの下流側は本体外郭の正面を形成するフロントケースに設けた吹出口に連通させ、本体外郭の一部に設けた操作部と前記ヒーターと送風機を運転制御する制御基板を備え、前記フロントケースとリアケースの間にセンターケースを配設するとともに、前記このセンターケースに送風機のファンケース部の形状を備え、かつ、送風機、ダクト、制御基板の取り付け構造を備えたことを特長として構成したものである。これによって、樹脂で構成される本体外観に生じるヒケをほとんど発生しないようにして外観品位を向上させるとともに、外郭にヒケ対策のひとつとして入れるシボ加工の必要性がなくなり、表面仕上がりの選択の自由度を広げることができ、デザイン性の高い温風暖房機を提供することができる。
【発明の効果】
【０００８】
本発明の温風暖房機は、樹脂で構成される本体外観に生じるヒケをほとんど発生しないようにして外観品位を向上させるとともに、外郭にヒケ対策のひとつとして入れるシボ加工の必要性がなくなり、表面仕上がりの選択の自由度を広げることができ、デザイン性の高い温風暖房機を提供することができる。
【発明を実施するための最良の形態】
【０００９】
第１の発明は、ヒーターと、前記ヒーターを内包し風路を形成するダクトと、前記ダクトに室内空気を送風する送風機を備え、前記送風機の上流側は本体外郭の背面を形成するリアケースの一部に設けた開口部に連通し、前記リアケースの前記開口部にフィルターを備えたフィルターカバーを設けるとともに、前記ダクトの下流側は前記本体外郭の正面を形成するフロントケースに設けた吹出口に連通させ、前記本体外郭の一部に設けた操作部と前記ヒーターと前記送風機を運転制御する制御基板を備え、前記フロントケースと前記リアケースの間にセンターケースを配設するとともに、前記センターケースは、室内床面に本体を安定載置するための脚部と一体構造とし、前記送風機のファンケース部の形状を備え、かつ、前記送風機、前記ダクト、前記制御基板の取り付け構造を備えたことを特長として構成したものである。
【００１０】
そして、本体主要構造を構成する際に、フロントケースとリアケースだけではなくセンターケースを設け、このセンターケースにファンケース部の形状を備えるとともに内部部品、たとえば送風機、制御基盤、風路などを取り付けるボスやリブを備えたことにより、特にリアケースにはそれらのボスやリブを設ける必要がなくなるので、本体外観に生じるヒケをほとんど発生しないようにして外観品位を向上させるとともに、外郭にヒケ対策のひとつとして入れるシボ加工の必要性がなくなり、表面仕上がりの選択の自由度を広げることができ、デザイン性の高い温風暖房機を提供することができる。
【００１１】
また、内部部品の質量を床面との間で直接支持することができ、センターケースの剛性を高めることができる。従ってフロントケース、リアケースといった外観部品の構造的な負担を大幅に軽減できるため、それら外観部品に設けるリブなどの補強構造を大幅に削減でき、外観にヒケが少ないデザイン性の高い温風暖房機を提供することができる。
【００１２】
第２の発明は、特に第１の発明の前記制御基板を係止する制御基板ケースを前記センターケースとは別部品として配置し、前記制御基板ケースの材質を難燃グレード樹脂とし、センターケースから制御基板ケースを分離して、制御基板ケースのみを材質を難燃グレードにしているので、１００Ｖ電源が印加されていて将来部品の劣化などで発火源になり得る制御基板を覆い延焼を防止するとともに、高価な難燃樹脂は制御基板ケースのみとしているのでコスト負担も最小限で実現できる安全な温風暖房機を提供することができる。
第３の発明は、特に第１の発明の前記制御基板を係止する制御基板ケースを前記センターケースとは別部品として配置し、前記制御基板ケースの材質を板金とし、センターケースから制御基板ケースを分離して、制御基板ケースのみを板金で構成しているので、１００Ｖ電源が印加されていて将来部品の劣化などで発火源になり得る制御基板を覆い延焼を防止するとともに、複雑な構造のセンターケースは樹脂で構成可能なため、比較的安価に安全な温風暖房機を提供することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における温風暖房機の外観図、図２は構成部品の展開斜視図である。
【００１５】
図１、図２において、１はフロントケース、２はリアケース、３はセンターケースで本体のベース部３ａと一体の構成としてある。４は難燃グレード樹脂で成型した制御基板ケース、５はトップケース、６はトップケース５に設けた操作部、７は本体を移動する際に持つハンドル、８はフィルターカバー、９は送風機、１０はダクト、１１はヒーター、１２は吹出口、１３は温風の方向を変えるルーバー、１４は制御基板である。また本実施例の温風暖房機は加湿機能を備えるため、その構成部品を説明すると、１５は加湿トレイ、１６は加湿トレイ１５に載置した加湿フィルター、１７は給水タンク、１８はタンクカバーを設けて構成している。
【００１６】
このとき、送風機９のファンを回転させて送風するために必要なファンケース形状と、制御基板ケース４、送風機９、ダクト１０、およびそれらに電力供給や信号授受を行うリード線（図示せず）を係止する構成はすべてセンターケース３に構成している。従って、リアケース２にこれら複雑な形状を構成しなくて済み、それによって樹脂で構成される本体外観に生じるヒケをほとんど発生しないようにして外観品位を向上させるとともに、外郭にヒケ対策のひとつとして入れるシボ加工の必要性がなくなり、表面仕上がりの選択の自由度を広げることができる、デザイン性の高い温風暖房機を構成している。また、内部部品を支持するセンターケース３を本体のベース部３ａと一体構造にしてあるので、内部部品の質量を床面との間で直接支持することができ、センターケース３の剛性を高めることができる。従ってフロントケース１、リアケース２といった外観部品の構造的な負担を大幅に軽減できるため、それら外観部品に設けるリブなどの補強構造を大幅に削減でき外観にヒケが少ないデザイン性の高い温風暖房機を提供することができる。
以上のように構成された温風暖房機について、以下その動作、作用を説明する。
【００１７】
まず、本体を水平な場所に置き、タンクカバー１８をあけて給水タンク１７を取り出して給水したあと、再び給水タンク１７を本体にセットしてタンクカバー１８を締めると給水タンク１７内の水が加湿トレイ１５に流出して溜まり、その水が定水面に達するまで待ってから電源プラグ（図示せず）を家庭のコンセント（図示せず）に差込み、操作部６の運転スイッチを押す。すると送風機９が回転して送風を始めるとともにヒーター１１に通電を始めるため、室内空気は吸気口にあるフィルターカバー８から本体内に吸気されダクト１０内で発熱したヒーター１１と熱交換されて温風となり、水を溜めた加湿トレイ１５内に載置し水を十分に給水した加湿フィルター１６の水面からの露出部分に接触しながら吹出口１２から室内へ吹き出され、乾燥感のない温風暖房を実現できる。
【００１８】
このように、高機能でかつ、デザイン性の高い温風暖房機を提供することができる。
【００１９】
（実施の形態２）
図３は本発明の実施の形態２における温風暖房機の構成部品の展開斜視図である。なお、本実施の形態は、実施の形態１における温風暖房機の構成部品の材質構成が実施の形態１の発明と異なるだけで、同一の番号を付与し、異なる構成についてのみ説明を行う。
【００２０】
図３において、実施の形態１と異なる部分のみ説明すると、制御基板１４を収める制御基板ケース２０はセンターケース３から分離され、板金で構成してある。
【００２１】
以上のように構成された温風暖房機について、以下その動作、作用を実施の形態１と異なる部分のみ説明する。
【００２２】
制御基板１４を収める制御基板ケース２０は、センターケース３から分離して不燃材である板金で構成してあるので、経年的に部品が劣化して、１００Ｖ電源が印加してある制御基板１４が万一発火しても他の部位への延焼を確実に防止できる安全性の高い温風暖房機を提供することができる。
【００２３】
なお、本実施例では加湿機能を持つ温風機を示したが、それに限定されるものではなく、たとえば温風機能のみのタイプでも同様の構成が可能で、十分な効果がある。
【００２４】
また、本発明の制御基板ケース２０は板金で構成しているが、難燃グレードの樹脂で成型しても同等の効果が得られる。
【産業上の利用可能性】
【００２５】
以上のように、本発明にかかる温風暖房機は、樹脂で構成される本体外観品位を向上させるとともに、表面仕上がりの選択の自由度を広げることができる、デザイン性の高い温風暖房器具等に使用できる。
【図面の簡単な説明】
【００２６】
【図１】本発明の実施の形態１における温風暖房機の外観図
【図２】本発明の実施の形態１における温風暖房機の構成部品の展開斜視図
【図３】本発明の実施の形態２における温風暖房機の構成部品の展開斜視図
【図４】従来の温風暖房機の構成図
【符号の説明】
【００２７】
１  フロントケース
２  リアケース
３  センターケース
６  操作部
９  送風機
１１  ヒーター
１０  ダクト
【図１】
0004835261.tif 000002
【図２】
0004835261.tif 000003
【図３】
0004835261.tif 000004
【図４】
0004835261.tif 000005